(57)【要約】【課題】入力された複数の情報に基づいて細かな運転設定を行うことで、不要な換気を抑制して省エネルギー化を図ることのできる送風機を得ること。【解決手段】送風機１は、本体に設けられたファンを回転させる電動機１１を備えた送風機であって、センサー２１からのセンサー信号を入力可能なセンサー信号入力端子と、制御機器２０からの制御信号を入力可能な制御信号入力端子と、入力されたセンサー信号と制御信号とに基づいて電動機の運転を制御する制御部８と、を備える。【選択図】図１
2013019564.tif 000002
【特許請求の範囲】
【請求項１】
本体に設けられたファンを回転させる電動機を備えた送風機であって、
センサーからのセンサー信号を入力可能なセンサー信号入力端子と、
制御機器からの制御信号を入力可能な制御信号入力端子と、
入力された前記センサー信号と前記制御信号とに基づいて前記電動機の運転を制御する制御部と、を備えることを特徴とする送風機。
【請求項２】
前記制御信号入力端子から入力された前記制御信号を外部に出力する制御信号出力端子をさらに備えることを特徴とする請求項１に記載の送風機。
【請求項３】
前記センサー信号および前記制御信号の状態と前記電動機の運転状態とが関連付けられたテーブル予め記憶する記憶部をさらに備え、
前記制御部は、前記テーブルを参照して前記電動機の運転を制御することを特徴とする請求項１または２に記載の送風機。
【請求項４】
前記センサー信号入力端子および前記制御信号入力端子は、ａ接点またはｃ接点に対応する端子であり、
前記テーブルにおいて、
前記センサー信号がＯＦＦで、前記制御信号がＯＦＦの場合には前記電動機が停止し、
前記センサー信号がＯＮで、前記制御信号がＯＦＦの場合には前記電動機が強ノッチで運転し、
前記センサー信号がＯＦＦで、前記制御信号がＯＮの場合には前記強ノッチより回転が遅い弱ノッチで前記電動機が運転し、
前記センサー信号がＯＮで、前記制御信号がＯＮの場合には前記強ノッチで前記電動機が運転するように、前記センサー信号および前記制御信号の状態と前記電動機の運転状態とが関連付けられていることを特徴とする請求項１〜３のいずれか１つに記載の送風機。
【請求項５】
請求項４に記載の送風機と、
前記センサー信号入力端子に接続されて、人の有りを検知するとＯＮするａ接点またはｃ接点出力の人感センサーと、
前記制御信号入力端子に接続されて、所定の時刻にＯＮするａ接点またはｃ接点出力を有するタイムスイッチと、を備えることを特徴とする送風機システム。
【請求項６】
請求項４に記載の送風機と、
前記センサー信号入力端子に接続されて、所定の温度を検知してＯＮまたはＯＦＦするａ接点またはｃ接点出力の温度センサーと、
前記制御信号入力端子に接続されて、所定の時刻にＯＮするａ接点またはｃ接点出力を有するタイムスイッチと、を備えることを特徴とする送風機システム。
【請求項７】
前記センサー信号入力端子に接続されて、所定の湿度を検知してＯＮまたはＯＦＦするａ接点またはｃ接点出力の湿度センサーと、
前記制御信号入力端子に接続されて、所定の時刻にＯＮするａ接点またはｃ接点出力を有するタイムスイッチと、を備えることを特徴とする送風機システム。
【請求項８】
前記センサー信号入力端子に接続されて、所定のＣＯ２濃度を検知してＯＮまたはＯＦＦするａ接点またはｃ接点出力のＣＯ２センサーと、
前記制御信号入力端子に接続されて、所定の時刻にＯＮするａ接点またはｃ接点出力を有するタイムスイッチと、を備えることを特徴とする送風機システム。
【発明の詳細な説明】
【技術分野】
【０００１】
本発明は、各種センサーやタイムスイッチなどによる外部からの制御入力が可能な換気用の送風機に関する。
【背景技術】
【０００２】
従来、電源回路上にタイムスイッチなどを設置し、換気用の送風機の運転を時間帯により制御することで無駄な運転を抑制することが行われていた。例えば、事務所などにおいて就業時間内のみ送風機を運転する。この例では、勤務者の不在である場合が多い就業時間外に送風機を停止することで、無駄な送風機の運転を抑制している。
【０００３】
また、一方では送風機が換気を行なう場所の状態を検知するために設置されたセンサーの情報を利用して送風機の運転を制御する場合もある。例えば、特許文献１に示すように、人感センサーによる在人情報などに基づいて、必要な時だけ送風機を運転させて換気を行ない、無駄な運転を抑制していた。
【先行技術文献】
【特許文献】
【０００４】
【特許文献１】特開２００９−２６４６４７号公報
【発明の概要】
【発明が解決しようとする課題】
【０００５】
しかしながら、上記従来の技術によれば、タイムスイッチを用いた運転制御では設定された時間になると在人の有無に係らず送風機は停止する。例えば、オフィスビルのトイレ換気を考えた場合、設定時間外ではトイレを使用して人がいる場合であっても送風機は運転しないということになる。
【０００６】
また、人感センサーを用いた場合は、在人の有無による運転制御は可能になるが、例えば上記と同様にトイレ換気を考えた場合、人がいる場合は強ノッチ運転、平日就業時間内の人がいない場合は弱ノッチでの運転、平日夜間や休日は停止といった時間帯に応じた運転の切替えについては対応が難しかった。
【０００７】
また、タイムスイッチと人感センサーを併用することを考えた場合には、電源回路上に直列もしくは並列に接続することが考えられる。しかし、直列に接続した場合についてはどちらかの設定が切となっていると換気用送風機の運転が必要な場面においても運転は停止となる。例えば、トイレ換気においてタイムスイッチの設定を休日は停止とすると、休日出勤等でトイレを使用した場合に人感センサーは入となるがタイムスイッチは切のため送風機が運転されない。
【０００８】
また、人感センサーとタイムスイッチを並列に接続した場合は運転の無駄が生じることとなる。例えば、トイレ換気において、平日就業時間内では換気用送風機は常に運転状態となってしまい、無駄な換気が発生する。
【０００９】
本発明は、上記に鑑みてなされたものであって、入力された複数の情報に基づいて細かな運転設定を行うことで、不要な換気を抑制して省エネルギー化を図ることのできる送風機を得ることを目的とする。
【課題を解決するための手段】
【００１０】
上述した課題を解決し、目的を達成するために、本発明は、本体に設けられたファンを回転させる電動機を備えた送風機であって、センサーからのセンサー信号を入力可能なセンサー信号入力端子と、制御機器からの制御信号を入力可能な制御信号入力端子と、入力されたセンサー信号と制御信号とに基づいて電動機の運転を制御する制御部と、を備えることを特徴とする。
【発明の効果】
【００１１】
本発明によれば、センサー信号と制御信号の複数の情報に基づいて電動機の運転を制御することで、不要な換気を抑制して省エネルギー化を図ることができる。
【図面の簡単な説明】
【００１２】
【図１】図１は、本発明の実施の形態１にかかる送風機の制御システムの概略構成を示すブロック図である。
【図２−１】図２−１は、本発明の実施の形態１にかかる送風機の概略構成を示す平面図である。
【図２−２】図２−２は、本発明の実施の形態１にかかる送風機の概略構成を示す側面図である。
【図３】図３は、図２−２に示すＡ−Ａ線に沿った矢視断面図である。
【図４−１】図４−１は、送風機とそれに接続されるセンサー類などを示すシステム図である。
【図４−２】図４−２は、実施の形態１の変形例１にかかる送風機とそれに接続されるセンサー類などを示すシステム図である。
【図５】図５は、センサー類からの入力状態と送風機の運転状態との関係を示す図である。
【図６】図６は、実施の形態１の変形例２にかかる送風機とそれに接続される機器のシステム図である。
【発明を実施するための形態】
【００１３】
以下に、本発明の実施の形態にかかる送風機および送風機システムを図面に基づいて詳細に説明する。なお、この実施の形態によりこの発明が限定されるものではない。
【００１４】
実施の形態１．
図１は、本発明の実施の形態１にかかる送風機の制御システムの概略構成を示すブロック図である。制御装置２は、電源端子３、電源回路４、センサー信号入力端子５、制御信号入力端子６、制御信号出力端子７、マイクロコンピュータ（制御部）８、電動機制御回路９、スイッチング半導体１０、および記憶部２３を備える。これらは１つの回路プリント基板にすべて実装されてもよいし、複数の回路プリント基板に分けて実装されてもよい。
【００１５】
電源端子３には、商用交流電源が接続される。電源回路４は、電源端子３で受けた電源を送風機１の動作に必要な仕様に変換する。センサー信号入力端子５には、送風機１が換気を行なう場所の状態を検知するために送風機１の外部に設置されたセンサーが接続され、そのセンサーからの信号が入力される。
【００１６】
制御信号入力端子６は、タイマーや中央制御装置など時間帯などにより動作制御を行なうために送風機１の外部に設けられた制御機器や、併設された別の送風機からの信号線が接続される。制御信号入力端子６は、制御機器や別の送風機から出力された制御に関する制御信号の入力を受付ける。
【００１７】
制御信号出力端子７は、制御信号入力端子６から入力された制御信号の一部または全てを送風機１の外部に出力する端子である。マイクロコンピュータ８は、センサー信号入力端子５からのセンサー信号、制御信号入力端子６からの制御信号、およびリモコンなど別途設けられた設定スイッチ（図示せず）の設定状態に基づいて、電動機制御回路９およびスイッチング半導体１０を通して電動機１１を制御するとともに、制御信号出力端子７に制御信号を出力する。スイッチング半導体１０の出力は回路プリント基板からリード線で接続された、送風機１の羽根を回転させるための電動機１１につながる。
【００１８】
電源回路４は、単相１００Ｖまたは２００Ｖ、もしくは３相２００Ｖの商用交流電源を受けて、電動機駆動用の直流電源１４０Ｖと、マイクロコンピュータ８を動作させるために必要な直流１２Ｖと５Ｖに変換する。
【００１９】
設置場所の状態検知を行なうセンサーを接続するためのセンサー信号入力端子５は、無電圧ａ接点による入力となっており、２つの端子間を短絡させることにより入力が入ったと判断する。そのため、人を検知すると接点を閉じる人感センサー、室内の温度により接点の開閉を行なう温度スイッチ、室内の湿度により開閉を行う湿度スイッチ等が接続可能である。なお、センサー信号入力端子５は、ａ接点による入力に限らず、ｃ接点による入力であっても構わない。
【００２０】
一括制御のための制御機器（例えば時間による一括制御を行なうためのタイムスイッチ、ビルの中央制御装置など）を接続するための制御信号入力端子６についても無電圧ａ接点による入力になっており、２つの端子間を短絡させることにより入力が入ったと判断する。そのため接点の開閉を行なう仕様の中央制御装置や時間によって接点の開閉を行なうタイムスイッチ等が接続可能である。なお、制御信号入力端子６は、ａ接点による入力に限らず、ｃ接点による入力であっても構わない。
【００２１】
また、併せて、制御信号入力端子６には、送風機１を複数台使用する際に、併設された別の送風機１の制御信号出力端子７から出力される制御信号を入力させることができ、無極性で接続が可能である。送風機１を１台単独で使用、もしくは１台目の親機として使用する場合には、制御信号入力端子６に他の送風機１は接続されない。
【００２２】
制御信号出力端子７は、送風機１を複数台使用する際に、制御信号を直列に接続する場合に、下流側に接続された別の送風機１の制御信号入力端子６に制御信号を送信するためのもので、無極性で接続が可能である。送風機１を１台単独で使用、もしくは複数台使用時の子機で一番後ろに接続される子機として使用する場合には、制御信号出力端子７に他の送風機１は接続されない。
【００２３】
マイクロコンピュータ８は、センサー信号入力端子５、制御信号入力端子６からの入力信号、リモコンなど別途設けられた設定スイッチ（図示せず）の設定状態から判断して、電動機１１の動作を決め、電動機制御回路９に対して電動機動作の指示を与える。また、制御信号出力端子７に制御信号を出力する。これにより、制御信号出力端子７に接続される子機（他の送風機１）に対して制御信号が送信される。電動機制御回路９は、マイクロコンピュータ８より出された指示に基づき、電動機駆動に必要な正弦波交流を直流電源から作り出すスイッチング半導体１０を動作させる。
【００２４】
次に、送風機１の全体構成について説明する。図２−１は、本発明の実施の形態１にかかる送風機１の概略構成を示す平面図である。図２−２は、本発明の実施の形態１にかかる送風機１の概略構成を示す側面図である。図３は、図２−２に示すＡ−Ａ線に沿った矢視断面図である。
【００２５】
送風機１は、図２−１，２−２に示すように、箱状のケーシング１５に制御装置２が取付けられ、制御装置２を覆うように制御装置カバー１２が取付けられて構成される。ケーシング１５の左右には、送風ダクト（図示せず）を接続するためのダクト接続フランジ１３ａ，１３ｂが取付けられている。
【００２６】
取付足１４は、ケーシング１５にねじで固定されて４箇所設けられている。建物の天井から吊り下げられたボルトなどに取付足１４を引っ掛けることで、送風機１を設置する際の固定が行なわれる。
【００２７】
図３に示すように、ケーシング１５の内部風路側面に側面消音材１７が設置され、風路中央部に中央部消音材１６が設置され、中央部には電動機１１に接続されたシロッコ羽根車１８が設置されている。シロッコ羽根車１８が回転することで、送風機１による送風が行なわれる。
【００２８】
次に、送風機１を１台で動作させる場合のセンサー類などとの接続や、送風機１の動作について説明する。図４−１は、送風機１とそれに接続されるセンサー類などを示すシステム図である。なお、各機器間の接続関係を分かりやすくするために、図４−１では、制御装置カバー１２を取外した状態で示している。
【００２９】
商用電源は、設置する建物に設けられた分電盤内のブレーカ１９を通して送風機１の制御装置２の電源端子３に接続され、送風機１に電源が供給される。換気場所の状態検知を行なうセンサーについては、本実施の形態では人感センサー（センサー）２１を換気場所に設けている。その人感センサー２１を、送風機１のセンサー信号入力端子５に接続する。
【００３０】
人感センサー２１は、センサー信号入力端子５に、送風機１が換気を行なう場所の在人情報を入力する。例えば、オフィスビルのトイレ換気を考えた場合には、人がトイレに入室した際に人感センサー２１が人を検知し接点を閉じることで、制御装置２に人が入室したことが入力される。
【００３１】
一括制御のための制御機器については、本実施の形態ではタイムスイッチ（制御機器）２０を設けている。タイムスイッチ２０は、制御信号入力端子６に接続される。タイムスイッチ２０の設定は、送風機１が設置されたオフィスビルのトイレ換気を考えた場合、例えば、就業時間を考えて平日の月曜日〜木曜日は８：００〜２０：００、金曜日は８：００〜１７：３０の間に接点を閉じて、その他の時間は接点を開くように設定する。これらの時間設定は建物の使用実態に合わせて適宜変更してもよい。
【００３２】
図５は、センサー類からの入力状態と送風機１の運転状態との関係を示す図である。制御装置２の記憶部２３には、図５に示すテーブル情報が予め記憶されている。マイクロコンピュータ８は、人感センサー２１とタイムスイッチ２０からの入力状態と、送風機１の運転状態とが、図５のテーブル情報に示す関係となるように電動機１１を制御する。ここで、弱運転とは強運転を下回る風量で運転することであり、強運転と弱運転の風量差は、例えば図示しないスイッチで設定することにより任意に変更が可能である。
【００３３】
人感センサー２１から入力されたセンサー信号が切（人を非検知状態）で、タイムスイッチ２０も切の場合においては、送風機１の運転状態は停止となる（状態１）。上述したトイレ換気の例であれば、休日や就業時間外でトイレ内が無人状態である場合が状態１として想定される。
【００３４】
人感センサー２１から入力されたセンサー信号が入（人を検知状態）で、タイムスイッチ２０が切の場合においては、送風機１の運転状態は強運転となる（状態２）。上述したトイレ換気の例であれば、休日や就業時間外であるが休日出勤者や残業者がトイレ利用のためトイレ内に人が入室し換気が必要になった場合が状態２として想定される。
【００３５】
人感センサー２１から入力されたセンサー信号が切（人を非検知状態）で、タイムスイッチ２０が入の場合、送風機１の運転状態は弱運転となる（状態３）。上述したトイレ換気の例であれば、就業時間内であるが、トイレ内は無人である場合が状態３として想定される。トイレ内は無人であるため大きな換気量は必要ないが、フロア内には多くに人が存在していることが想定され、またオフィス居室空間の排気はトイレから行なうことが多いため、換気量確保の為にも弱運転を行なうことが好ましいために状態３では弱運転とされる。
【００３６】
人感センサー２１から入力されたセンサー信号が入（人を検知状態）で、タイムスイッチ２０も入の場合、送風機１の運転状態は強運転となる（状態４）。上述したトイレ換気の例であれば、就業時間内で、トイレ利用のためトイレ内に人が入室している場合が状態４として想定される。
【００３７】
運転状態１〜４の各運転状態において、人感センサー２１から入力されたセンサー信号が入（人を検知状態）から切（人を非検知状態）に変わった際には、残置運転の機能として人感センサー２１が入である状態の動作を１〜１０分間継続してから送風機１の動作を変更することも図示しないスイッチの設定により可能である。
【００３８】
図４−２は、実施の形態１の変形例１にかかる送風機とそれに接続されるセンサー類などを示すシステム図である。なお、本図についても図４−１と同様、各機器間の接続関係を分かりやすくするために、制御装置カバー１２は取外した状態で示している。
【００３９】
本変形例１では、複数のフロアを持つオフィスビルへ送風機１が複数台設置され、各送風機１の間の通信を使用し制御を行なう場合を例に挙げてについて説明する。商用電源が各フロアの分電盤内に設置されたブレーカ１９、１９ｂを通して各フロアに設置された各送風機１の制御装置２の電源端子３にそれぞれ接続され供給される。なお、送風機１は同一フロアに複数台設置されていてもよい。
【００４０】
親機となる１台目の送風機１（以下、送風機１ａという）の制御信号出力端子７と、子機となる２台目の送風機１（以下、送風機１ｂという）の制御信号入力端子６とを接続する。同じように２台目の子機となる送風機１ｂの制御信号出力端子７と、３台目の子機となる送風機１（以下、送風機１ｃという，図１も参照）の制御信号入力端子６とを接続する。
【００４１】
換気場所の状態検知を行なうセンサーについては、図４−１に示す場合と同様に、人感センサー２１，２１ｂを接続した場合を例に挙げて説明する。図４−２に示すように、送風機１ａには人感センサー２１が接続され、送風機１ｂには人感センサー２１ｂが接続されている。すなわち、人感センサーは、各フロアに設置された送風機と１対１の関係となるように設置される。人感センサー２１，２１ｂは、センサー信号入力端子５に接続され、送風機１が換気を行なう場所の在人情報がセンサー信号入力端子５に入力される。例えば、オフィスビルの１階のトイレ換気を考えた場合は、人が１階トイレに入室した際に人感センサー２１は人を検知し接点を閉じることで、制御装置２に人が入室したことを入力する。
【００４２】
一括制御のための制御機器については、図４−１に示す場合と同様に、タイムスイッチを接続した場合を例に挙げて説明する。タイムスイッチ２０は、親機となる１台目の送風機１ａの制御信号入力端子６にのみ接続され、子機となる送風機１ｂ，１ｃの制御信号入力端子６には接続されない。タイムスイッチ２０の入力状態は、制御信号出力端子７を通して子機に伝達される。
【００４３】
タイムスイッチ２０の設定は、上述した場合と同様にオフィスビルのトイレ換気を考えた場合、例えば、就業時間を考えて平日の月曜日〜木曜日は８：００〜２０：００、金曜日は８：００〜１７：３０の間に接点を閉じて、その他の時間は接点を開くように設定する。これらの時間設定は建物の使用実態に合わせて適宜変更してもよい。
【００４４】
このように、複数の送風機１を接続する送風機システムを構築した場合には、それぞれの送風機１が換気を行う場所（例えばトイレ）の状態（例えば、在人状態）については、それぞれの送風機１に接続されたセンサー（例えば、人感センサー２１，２１ｂ）から情報を得る。そして、一括制御のための制御機器（例えば、タイムスイッチ２０）からの情報は、親機から下流に接続された子機へと伝達される。
【００４５】
そして、送風機１（１ａ〜１ｃ）のそれぞれにおいて、人感センサー２１，２１ｂとタイムスイッチ２０からの入力状態と、送風機１の運転状態とが、図５に示す関係となるように、マイクロコンピュータ８が電動機１１を制御する。
【００４６】
以上説明したように、本実施の形態およびその変形例１にかかる送風機１および送風機システムによれば、複数台の送風機１を使用する場合、複数のタイムスイッチの用意が不要となる。これにより、コストの抑制を図ることができる。
【００４７】
また、１つのタイムスイッチ設定変更により同時に複数台の送風機１の時間設定変更が可能となる。これにより、複数台の送風機１の時間設定を変更する手間を削減することができる。
【００４８】
また、入力された情報を組合せて送風機１の運転状態を切り替えるので、細かな換気制御が可能となり、快適性が向上する。例えば、トイレの換気を考えた場合、使用頻度が高い時間帯は常に小風量の換気を確保しておくことが可能となり、快適性が向上する。また、オフィスビルではトイレからの排気によって、居室空間を含めたオフィス全体の換気を考えることが多いが、人感センサーのみによる換気のＯＮ／ＯＦＦでは、トイレに人が不在の場合に換気が停止してしまい、オフィス全体の換気が滞ってしまう場合があったが、本発明によればその問題も解消できる。
【００４９】
また、送風機運転消費電力低減と空調負荷低減の省エネが可能となる。トイレや給湯室の換気を考えた場合、使用時と不使用時の必要換気量は大きく異なるため、常に使用時の換気量で換気を行なった場合、無駄な換気が発生する。そのため、必要にあわせて換気量を切替えることで送風機運転消費電力の低減が可能となる。また、換気によって空調された空気を外部へ排出することになるため、換気量を抑えることで空調負荷の低減にもつながる。
【００５０】
一般に人感センサーやタイムスイッチなどに搭載されたＯＮ／ＯＦＦ用接点の容量は送風機１の制御に必要な容量に対して小さく、電磁接触器等を別に用意する必要があるが、本発明では接点には微弱な電流しか流れないため接点容量が問題になりにくい。また、センサー信号入力端子５への入力方式は、人感センサー、タイムスイッチ、温度スイッチ、湿度スイッチなどに多く使用される無電圧ａ接点方式であり、汎用性が高い。
【００５１】
図６は、実施の形態１の変形例２にかかる送風機とそれに接続される機器のシステム図である。なお、図６では、各機器間の接続関係を分かりやすくするために、制御装置カバー１２は取外した状態で示している。
【００５２】
本変形例２では、センサー信号入力端子５に接続されて換気場所の状態検知を行なうセンサーを温度センサー（センサー）２２としている。温度センサー２２は、設定された温度以上になると接点を閉じるものであり、換気場所の室内温度によって動作する。
【００５３】
例えば、オフィスビルに併設された倉庫や機械室を考えた場合、倉庫内の温度が設定した温度以上になると温度センサー２２が接点を閉じることで、制御装置２に室内温度が設定値に達したことが入力される。
【００５４】
一括制御のための機器については上述したものと同様にタイムスイッチであり、設定についても、例えば就業時間を考えて平日の月曜日〜木曜日は８：００〜２０：００、金曜日は８：００〜１７：３０の間に接点を閉じて、その他の時間は接点を開くように設定する。これらの時間設定は建物の使用実態に合わせて適宜変更してもよい。
【００５５】
マイクロコンピュータ８は、上述したものと同様に、温度センサー２２とタイムスイッチ２０からの入力状態と、送風機１の運転状態とが、図５に示す関係となるように電動機１１を制御する。ここで、弱運転とは強運転を下回る風量で運転することであり、強運転と弱運転の風量差は、スイッチの設定により任意に変更が可能である。
【００５６】
温度センサー２２から入力されたセンサー信号が切（設定温度以下）で、タイムスイッチ２０も切の場合においては、送風機１の運転状態は停止となる（状態１）。上述した倉庫内の換気の例を考えた場合、休日や就業時間外で、倉庫内の室温は設定温度以下となる場合が状態１として想定される。
【００５７】
温度センサー２２からのセンサー信号が入（設定温度または設定温度以上）で、タイムスイッチ２０が切の場合、送風機１の運転状態は強運転となる（状態２）。上述した倉庫内の換気の例を考えた場合、休日や就業時間外であるが、倉庫内の室温は設定温度または設定温度以上になって換気が必要になった場合が状態２として想定される。
【００５８】
温度センサー２２から入力されたセンサー信号が切（設定温度以下）で、タイムスイッチ２０が入の場合、送風機１の運転状態は弱運転となる（状態３）。上述した倉庫内の換気の例を考えた場合、就業時間内で、倉庫内の室温は設定温度以下となる場合が状態３として想定される。室内温度は設定温度以下であるが、特に利用頻度の高い倉庫については入室した際に空気のよどみが気になることが多く、就業時間内については弱ノッチにより必要最低限の換気量を確保することで、快適性を保つことができる。
【００５９】
温度センサー２２から入力されたセンサー信号が入（設定温度または設定温度以上）で、タイムスイッチ２０も入の場合、送風機１の運転状態は強運転となる（状態４）。上述した倉庫内の換気の例を考えた場合、就業時間内で、倉庫内の室温は設定温度または設定温度以上になって換気が必要になった場合が状態４として想定される。
【００６０】
各運転状態において温度センサー２２が入（設定温度または設定温度以上）から切（設定温度以下）に変わった際には、残置運転の機能として温度センサー２２が入である状態の動作を１〜１０分間継続してから送風機１の動作を変更することもスイッチでの設定により可能である。
【００６１】
また、本変形例２では温度センサー２２を使用した例を示したが、使用するセンサーはこれに限定するものではなく、設定湿度により接点の開閉を行なう湿度センサー、ＣＯ２濃度により接点の開閉を行なうＣＯ２濃度センサー、タバコの煙や有機ガスなどの濃度により接点の開閉を行なう雑ガスセンサー、においの度合いにより接点の開閉を行なう臭いセンサー、粉塵量により接点の開閉を行なう粉塵センサー等、を使用することができる。すなわち、閾値に対して接点の開閉を行なうタイプのセンサーであれば状態検知を行うセンサーとして使用することが可能である。
【産業上の利用可能性】
【００６２】
以上のように、本発明にかかる送風機は、換気対象となる部屋の状態や時間に応じて運転状態を切り替える送風機に有用である。
【符号の説明】
【００６３】
１，１ａ，１ｂ，１ｃ  送風機
２  制御装置
３  電源端子
４  電源回路
５  センサー信号入力端子
６  制御信号入力端子
７  制御信号出力端子
８  マイクロコンピュータ（制御部）
９  電動機制御回路
１０  スイッチング半導体
１１  電動機
１２  制御装置カバー
１３ａ，１３ｂ  ダクト接続フランジ
１４  取付足
１５  ケーシング
１６  中央部消音材
１７  側面消音材
１８  シロッコ羽根車
１９，１９ｂ  ブレーカ
２０  タイムスイッチ（制御機器）
２１，２１ｂ  人感センサー（センサー）
２２  温度センサー（センサー）
２３  記憶部
【図１】
2013019564.tif 000003
【図２−１】
2013019564.tif 000004
【図２−２】
2013019564.tif 000005
【図３】
2013019564.tif 000006
【図４−１】
2013019564.tif 000007
【図４−２】
2013019564.tif 000008
【図５】
2013019564.tif 000009
【図６】
2013019564.tif 000010